(57)【要約】【課題】建物の壁構造材の内側に沿って形成された内部通気層を利用して、家全体を床下に配置した高効率のエアコンで通年管理することによって快適な居住空間を作出することができる壁体内循環通路を有する建物構造を提案する。【解決手段】断熱構造に構成された床下空間２０と、断熱構造に構成された小屋裏空間２５と、前記床下空間２０と前記小屋裏空間２５とを接続する壁体内循環通路３０と、前記床下空間２０に設置された冷暖房用エアコン５０及び冷気上昇用送風機６０と、前記冷気上昇用送風機６０に接続されて床下空間の冷気を前記小屋裏空間２５に送り込む冷気上昇用ダクト６５と、前記小屋裏空間２５に設置された暖気下降用送風機７０と、前記暖気下降用送風機７０に接続されて小屋裏空間２５の暖気を前記床下空間２０にに送りこむ暖気下降用ダクト７５とを有する。【選択図】図１
0003164069.tif 000002
【実用新案登録請求の範囲】
【請求項１】
断熱構造に構成された床下空間と、
断熱構造に構成された小屋裏空間と、
前記床下空間と前記小屋裏空間とを接続する壁体内循環通路と、
前記床下空間に設置された冷暖房用エアコン及び冷気上昇用送風機と、
前記冷気上昇用送風機に接続されて床下空間の冷気を前記小屋裏空間に送り込む冷気上昇用ダクトと、
前記小屋裏空間に設置された暖気下降用送風機と、
前記暖気下降用送風機に接続されて小屋裏空間の暖気を前記床下空間にに送りこむ暖気下降用ダクトとを有する
ことを特徴とする壁体内循環通路を有する建物構造。
【請求項２】
前記床下空間に床下換気扇が配置された請求項１に記載の壁体内循環通路を有する建物構造。
【請求項３】
前記小屋裏空間に小屋裏換気扇が配置された請求項１又は２に記載の壁体内循環通路を有する建物構造。
【考案の詳細な説明】
【技術分野】
【０００１】
この考案は壁体内循環通路を有する建物構造に関し、特には高気密、高断熱の壁内にエアサイクルを作り出し室内環境を一定に保つ住宅建物構造に関する。
【背景技術】
【０００２】
近年、通気断熱構造を備えた建物の室内環境制御に関しさまざまな提案がなされている。その多くのものは、建物の壁構造材の外側と内側に沿って外部通気層と内部通気層とを設け、夏季のように外気温が高い場合には、外部通気層と内部通気層を通気させ、室内の熱気と湿気を通気層を介して戸外に排出させ、また床下の冷気を利用することにより室内を快適な環境に維持し、冬季のように外気温が低くなる場合には、外部通気層と内部通気層の通気を阻止して、断熱構造により通気層を保温層として作用させ、また床下の地熱を利用することにより、室内を暖かく快適な環境に維持するものである。さらに、除湿機あるは排気ファンの作用を利用して、この通気断熱構造を備えた建築物の室内環境をより的確に良好な状態に維持することを提案されている（特許文献１参照）。
【先行技術文献】
【特許文献】
【０００３】
【特許文献１】特開２００６−２０７１２６号公報
【考案の概要】
【考案が解決しようとする課題】
【０００４】
この考案は、建物の壁構造材の内側に沿って形成された内部通気層を利用して、建物全体を床下に配置した高効率のエアコンで通年管理することによって快適な居住空間を作出することができる壁体内循環通路を有する建物構造を提案するものである。
【課題を解決するための手段】
【０００５】
すなわち、請求項１の考案は、断熱構造に構成された床下空間と、断熱構造に構成された小屋裏空間と、前記床下空間と前記小屋裏空間とを接続する壁体内循環通路と、前記床下空間に設置された冷暖房用エアコン及び冷気上昇用送風機と、前記冷気上昇用送風機に接続されて床下空間の冷気を前記小屋裏空間に送り込む冷気上昇用ダクトと、前記小屋裏空間に設置された暖気下降用送風機と、前記暖気下降用送風機に接続されて小屋裏空間の暖気を前記床下空間にに送りこむ暖気下降用ダクトとを有することを特徴とする壁体内循環通路を有する建物構造に係る。
【０００６】
また、請求項２の考案は、前記床下空間に床下換気扇が配置された請求項１に記載の壁体内循環通路を有する建物構造に係る。
【０００７】
さらに、請求項３の考案は、前記小屋裏空間に小屋裏換気扇が配置された請求項１又は２に記載の壁体内循環通路を有する建物構造に係る。
【考案の効果】
【０００８】
請求項１の考案によれば、断熱構造に構成された床下空間と、断熱構造に構成された小屋裏空間と、前記床下空間と前記小屋裏空間とを接続する壁体内循環通路と、前記床下空間に設置された冷暖房用エアコン及び冷気上昇用送風機と、前記冷気上昇用送風機に接続されて床下空間の冷気を前記小屋裏空間に送り込む冷気上昇用ダクトと、前記小屋裏空間に設置された暖気下降用送風機と、前記暖気下降用送風機に接続されて小屋裏空間の暖気を前記床下空間にに送りこむ暖気下降用ダクトとを有することを特徴とする壁体内循環通路を有する建物構造に係るものであることより、外気温の高い夏季には床下空間に設置したエアコンの冷気を小屋裏に上昇させた後壁体内循環通路を下降流通させることによって、また外気温の低い冬季には床下空間に設置したエアコンの暖気を壁体内循環通路を上昇流通させることによって、効率よく、建物空間全体を快適な環境に維持することができる。
【０００９】
請求項２の考案によれば、請求項１の考案において、前記床下空間に床下換気扇が配置されたものであるから、床下空間の換気を行なうだけではなく、例えば夏季の夜間の冷気を床下空間から、壁体内、小屋裏に取り込むことによって、昼間の冷房負荷を低減させることが可能となる。
【００１０】
さらに、請求項３の考案よれば、請求項１又は２の考案において、前記小屋裏空間に小屋裏換気扇が配置されたものであるから、小屋裏空間の温度が一定以上になったときには（温度センサー付きが望ましい）、換気扇が作動して温度を下げることができる。
【図面の簡単な説明】
【００１１】
【図１】この考案の一実施例を表した建物内部の構造図である。
【図２】この考案の夏季における作動状態を表した建物内部の構造図である。
【図３】この考案の冬季における作動状態を表した建物内部の構造図である。
【図４】外側通気層及び内側通気層を表す壁体構造の横断面図である。
【図５】壁体内循環通路における２階床構造板と梁材の切込み部を表す部分斜視図である。
【考案を実施するための形態】
【００１２】
図１に示したように、本考案の一実施例に係る建物１０は、床下空間２０と、小屋裏空間２５と、壁体内循環通路３０と、冷暖房用エアコン５０と、冷気上昇用送風機６０と、冷気上昇用ダクト６５と、暖気下降用送風機７０と、暖気下降用ダクト７５とを有する。図１〜図３において、符号１１は基礎、１２は屋根、１３は外壁部、１４は内壁部、１５は１階床部、１６は２階床部を表す。
【００１３】
床下空間２０は断熱構造に構成されている。床下空間２０の断熱構造としては、基礎１１の内周側にウレタン等からなる断熱材を設ける等、公知の構造が用いられる。また、床下空間２０には、床下換気扇２１が配置され、外気を取り込んで換気を行うことが可能に構成されている。
【００１４】
小屋裏空間２５は断熱構造に構成されている。小屋裏空間２５の断熱構造としては、屋根１２の裏側の通気路内側にウレタン等からなる断熱材を設ける等、公知の構造が用いられる。また、小屋裏空間２５には、小屋裏換気扇２６が配置され、換気（排気）が可能に構成されている。なお、小屋裏換気扇２６は、必要に応じて温度センサーを取り付け、小屋裏空間２５の温度が一定以上になったときに作動させるようにしてもよい。
【００１５】
壁体内循環通路３０は、床下空間２０と小屋裏空間２５とを接続するものであり、外壁１３部及び内壁部１４に形成される。図４に示すように、外壁部１３では、一般的には、外装材３１、外胴縁３２、構造板材３３、断熱材３４、柱３５、内胴縁３６、内装材３７と順に配置されるが、外装材３１と構造板材３３との間の内胴縁３２を介して形成される空間が外側通気層３８であり、断熱材３４と内装材３７の間に形成されるのが内側通気層３９である。本考案にいう壁体内循環通路３０はこの内側通気層３９を利用するものであり、特に柱３５と内装材３７との間に内胴縁３６を介して形成される。なお、図示しないが、実施例では内側通気層３９にウレタン等からなる断熱材３４を現場打ちして充填断熱構造としているが、好ましい実施例である。
【００１６】
内壁部１４では壁体内に通気層からなる壁体内循環通路３０が形成される。なお、図５に示すように、例えば２階床構造板４１と梁材４３にそれぞれ連通する図示のような切込み部４２，４４を形成すれば、階層間において確実に壁体内の通気層へ通気させることができ壁体内循環通路３０を確保できる。
【００１７】
冷暖房用エアコン５０は、床下空間２０に設置される。冷暖房用エアコン５０としては、公知の床下用エアコン等が用いられる。
【００１８】
冷気上昇用送風機６０は、床下空間２０に設置される。冷気上昇用送風機６０としては、公知の送風機等が用いられる。
【００１９】
冷気上昇用ダクト６５は、冷気上昇用送風機６０に接続されて床下空間２０の冷気を小屋裏空間２５に送り込むものである。
【００２０】
暖気下降用送風機７０は、小屋裏空間２５に設置される。暖気下降用送風機７０としては、公知の送風機等が用いられる。
【００２１】
暖気下降用ダクト７５は、暖気下降用送風機７５に接続されて小屋裏空間２５の暖気を床下空間２０に送り込むものである。
【００２２】
次に、本考案の建物１０の構造の具体的な作動例について説明する。まず、図２に示す外気温の高い夏季においては、床下空間２０に設置した冷暖房用エアコン５０が冷房として使用される。冷房として作動するエアコン５０の冷気は、床下空間２０に放出され、冷気上昇用送風機６０により冷気上昇用ダクト６５を介して小屋裏空間２５に送り込まれる。
【００２３】
小屋裏空間２５に上昇され冷気は、外壁部１３内や内壁部１４内に形成された壁体内循環通路３０（特に、外壁部１３では内側通気層３９）をゆっくり下降流通するため、床、壁、天井等の内側から建物１０空間全体をゆっくり冷却するとともに、建物１０内の湿度を効果的に下げることができる。これにより、通常の室内冷房より快適な除湿を体感することができる。
【００２４】
また、この建物１０では、床下空間２０に設けた床下換気扇２１により、例えば夜間の冷気を床下空間２０から、壁体内、小屋裏空間２５に取り込むことによって、昼間の冷房負荷を低減させることができる。その際、地中の冷気を取り込むことも可能である。さらに、小屋裏換気扇２６を作動させて小屋裏空間２５の排気を行うことにより、より効果的に昼間の冷房負荷を低減させることができる。また、小屋裏換気扇２６に温度センサーを取り付け、小屋裏空間２５の温度が一定以上になったときに小屋裏換気扇２６を作動させるようにすれば、小屋裏空間２５の温度を自動的に下げることができる。
【００２５】
一方、図３に示す外気温の低い冬季においては、床下空間２０に設置した冷暖房用エアコン５０が暖房として使用される。暖房として作動するエアコン５０の暖気は、地中の熱を加えながら外壁部１３内や内壁部１４内に形成された壁体内循環通路３０（特に、外壁１３では内側通気層３９）を自然に上昇流通する。その際、床、壁、天井等からの輻射熱により建物１０空間全体を暖めるとともに壁内結露を防止することができる。
【００２６】
小屋裏空間２５に貯められた暖気は、暖気下降用送風機７０により暖気下降用送風機７５を介して床下空間２０に送り込まれる。そして、床下空間２０に送られた暖気は、再び壁体内循環通路３０を自然に上昇流通して循環されるため、より効果的に建物１０空間全体を暖めることができる。
【００２７】
以上図示し説明したように、本考案の建物構造では、壁体内循環通路と、冷気上昇用ダクトまたは暖気下降用ダクトを介してエアコンの冷気または暖気を効果的に循環させるものであるため、季節に対応して、効率よく、建物空間全体を快適な環境に維持することができる。
【００２８】
なお、本考案の壁体内循環通路を有する建物構造は、前述の実施例のみに限定されるものではなく、考案の趣旨を逸脱しない範囲において構成の一部を適宜に変更して実施することができる。例えば、実施例の壁体構造では充填断熱構造としたが、外断熱構造としてもよい。外断熱構造とした場合も、内側通気層を壁体内循環通路として利用することが好ましい。
【符号の説明】
【００２９】
１０  建物
２０  床下空間
２５  小屋裏空間
３０  壁体内循環通路
５０  冷暖房用エアコン
６０  冷気上昇用送風機
６５  冷気上昇用ダクト
７０  暖気下降用送風機
７５  暖気下降用ダクト
【図１】
0003164069.tif 000003
【図２】
0003164069.tif 000004
【図３】
0003164069.tif 000005
【図４】
0003164069.tif 000006
【図５】
0003164069.tif 000007